(57)【要約】【課題】  眼鏡のズレ落ちを防止できる眼鏡を提供することを目的とする。【解決手段】  眼鏡１０は、フロントフレーム１２と、テンプル１４とから構成され、フロントフレーム１２のリム１２ａ，１２ｂの内側部分にノーズパット１６ａ，１６ｂが取り付けられている眼鏡である。ノーズパット１６ａ，１６ｂは、当該ノーズパット１６ａ，１６ｂの脚を形成する眼鏡支持手段１８を備えている。眼鏡支持手段１８は、その長さおよび幅を調整できるものである。ノーズパットの脚の長さおよび幅を容易に調整し、眼鏡１０のズレ落ちた場合のノーズパット１６ａ，１６ｂと同じ位置で眼鏡１０を支えることにより、眼鏡１０のズレ落ちを防止でき、眼鏡の装着者は、手で眼鏡１０のフロントフレーム１２を押し上げて眼鏡１０を元の位置に戻す必要がなくなり、仕事や勉強に集中できる。 【選択図】  図１
2010156932.tif 000002
【特許請求の範囲】
【請求項１】
鼻を両脇から挟んで眼鏡を支えるノーズパットを有する眼鏡において、前記ノーズパットの脚を形成するものであって、その長さおよび幅の調整が可能な眼鏡支持手段を備え、眼鏡がズレ落ちた場合のノーズパットの位置で眼鏡を支えるようにしたことを特徴とする眼鏡。
【請求項２】
前記眼鏡支持手段が可塑性を有する関節部を備えることを特徴とする請求項１記載の眼鏡。
【請求項３】
前記眼鏡支持手段を伸縮自在に設けることを特徴とする請求項１記載の眼鏡。
【請求項４】
前記眼鏡支持手段を前記眼鏡のフロントフレームに可動自在に取り付けることを特徴とする請求項１乃至請求項３記載の眼鏡。
【発明の詳細な説明】
【技術分野】
【０００１】
本発明は、眼鏡を支えるノーズパットを備える眼鏡に関する。
【背景技術】
【０００２】
従来の眼鏡のうち、ノーズパット（鼻当て）とテンプル（つる）を備える眼鏡が一般的形式の眼鏡であり、広く普及されている。眼鏡を快適に利用するためには、眼鏡の掛り具合の調整（フィッティング）を行う必要がある。フィッティングされた眼鏡はそのフロントがノーズパットとテンプルにより支えられ、眼鏡がズレ落ちることはない。
【０００３】
しかし、眼鏡は頻繁に掛け外しされることからテンプルの幅がフィッティング時より徐々に広がってしまう。テンプルの幅が広くなりテンプルの眼鏡を支える力が弱まると、眼鏡の重量がノーズパットのみにかかる。この場合、ノーズパットが眼鏡を支えらえずフィッティング時の位置より下方の位置に移動する。また、このノーズパットの移動に伴い眼鏡がズレ落ちる。従来、眼鏡を装着する者は、眼鏡がズレ落ちると、手でフロントフレームを押し上げて眼鏡を元の位置に戻していた。このような眼鏡を元の位置に戻す動作は、仕事や勉強の集中力を低下させることになり、好ましくなかった。
そこで、眼鏡のズレ落ちを防止する眼鏡のテンプルやノーズパットが提供されている（例えば、特許文献１、２）。
【特許文献１】特開平７−１５９７３５
【特許文献２】特開２００２−７２１５１
【０００４】
特許文献１の眼鏡のテンプルは、レンズを装着したフロントの両端に枢着する眼鏡のテンプルであり、そのテンプルは基端に略角柱状のヒンジ部を有する支持杆と、基端に耳掛け部を有する支持杆の先端側を夫々所定長さを有する管体の前後より進退自在に設けられ、両支持杆の先端側を管体内へ縮退する方向に付勢されている。また、ヒンジ部及び耳掛け部に段差を設けて夫々軸方向に長いＬ字杆を延設すると共に、該Ｌ字杆を向かい合わせて所定長さの管体に摺動自在に挿通し、各Ｌ字杆先端の立上り部間に管体に固着したバネ止めを設け、該バネ止めと各立上り部間に夫々バネを介装して伸縮自在としたものである。
特許文献１のテンプルは、そのテンプルを外側へ拡げる力が働くと、その力をヒンジ部を有する支持杆に作用させたバネの弾性力で受け流し、テンプルの開き角を一定に保持する。眼鏡の装着時においては、管体・支持杆の収縮にて装着者に適した装着長さを保持する。これにより、眼鏡のズレ落ちを防止することが可能であった。
【０００５】
しかし、眼鏡のズレ落ちは、テンプルの幅が広がること以外に、左右のノーズパットの幅が広がること、汗をかくことなどによっても起こる場合がある。従って、特許文献１のテンプルによっても、眼鏡のズレ落ちを防止できない可能性があった。
【０００６】
特許文献２のメガネフレームの鼻当て用パット（ノーズパット）は、鼻に当接する部位が竹材からなるものである。この鼻当て用パッドは、メガネの装着者が汗をかいた場合でも、竹材が利用者の鼻に接触して汗の水分や油分を吸収する。また、その吸収された水分が体温によって蒸発される。これにより、鼻と当接する部位に汗が付着し、眼鏡がズレ落ちるという事態を回避できる。
しかし、特許文献２の鼻当て用パットは、その材質を竹材に限定するものであった。
【発明の開示】
【発明が解決しようとする課題】
【０００７】
本発明は、上記問題を解決するために、眼鏡のズレ落ちを防止できる眼鏡を提供することを目的とするものである。
【課題を解決するための手段】
【０００８】
本発明の眼鏡は、鼻を両脇から挟んで眼鏡を支えるノーズパットを有する眼鏡において、前記ノーズパットの脚を形成するものであって、その長さおよび幅の調整が可能な眼鏡支持手段を備え、眼鏡がズレ落ちた場合のノーズパットの位置で眼鏡を支えるようにしたものである。
また、前記眼鏡支持手段が可塑性を有する関節部を備えるようにしたものである。
また、前記眼鏡支持手段を伸縮自在に設けるようにしたものである。
また、前記眼鏡支持手段を前記眼鏡のフロントフレームに可動自在に取り付けるようにしたものである。
【発明の効果】
【０００９】
本発明の眼鏡は、眼鏡がズレ落ちた際、そのズレ落ちた位置で眼鏡を支えるものであるため、さらなる眼鏡のズレ落ちを防止し、手でフロントフレームを押し上げて眼鏡を元の位置に戻す動作を回避でき、仕事や勉強の集中力を高めることができる。
また、本発明の眼鏡支持手段に可塑性を有する関節部を形成し、又は、当該眼鏡支持手段を伸縮自在に設けることよって、ノーズパットの長さおよび幅を容易に調整することができる。これにより、眼鏡を装着する者が自ら眼鏡のフィッティングを行うことができる。
また、前記眼鏡支持手段を前記眼鏡のフロントフレームに可動自在に取り付けることにより、フロントフレームの位置も容易に調整することができる。
【発明を実施するための最良の形態】
【００１０】
本発明は、眼鏡を装着する者が眼鏡がズレ落ちる度に手でフロントフレームを押し上げて眼鏡を元の位置に戻し動作を回避することを実現するものである。
【実施例１】
【００１１】
本発明の眼鏡を図に基づいて説明する。図１は、本発明の眼鏡の構成図であり、図１（ａ）はフィッティングされた状態を表す図であり、図１（ｂ）は眼鏡がズレ落ちた場合の使用状態を表わす図である。図２は、図１のノーズパットの拡大図である。
本発明の眼鏡１０は、フロントフレーム１２と、テンプル１４とから構成され、フロントフレーム１２のリム１２ａ，１２ｂの内側部分にノーズパット１６ａ，１６ｂが取り付けられている眼鏡である（図１）。ノーズパット１６ａ，１６ｂは、当該ノーズパット１６ａ，１６ｂの脚を形成する眼鏡支持手段１８を備えている（図２）。
【００１２】
眼鏡支持手段１８は、所定の長さを有するものであり、その一部又は全体に可塑性を有する関節部２０が形成されている。関節部２４は、手等で力を加えて折り曲げることができるようになっている（図２）。眼鏡支持手段１８を関節部２４から曲げて変形させることにより、ノーズパット１６ａ，１６ｂの位置を左右、前後、上下の各方向に自由自在に変位させることができる。眼鏡支持手段１８の変形により、ノーズパットの脚の長さおよび幅を容易に調整することができ、眼鏡を装着する者が自ら眼鏡のフィッティングを行うことができる。
【００１３】
図１（ａ）の眼鏡１０は、眼鏡支持手段１８をリム１２ａ，１２ｂの縁に沿って折り曲げ、眼鏡が快適に利用できる位置（フィッティング時の位置）にノーズパット１６ａ，１６ｂを配置したものである。
図１（ｂ）の眼鏡１０は、眼鏡支持手段１８を手で垂直方向に伸ばした状態のものである。
【００１４】
なお、図１において、ノーズパット１６ａ，１６ｂに埋着され固定されたパット芯（図示せず）とパット支持箱２２とがネジ（図示せず）で連結されている。
眼鏡支持手段１８の上端はフロントフレーム１２のリム１２ａ，１２ｂにロウ付けされた眼鏡支持手段取付部材２４に固定されており、眼鏡支持手段１８の下端は前記パット支持箱２２に固定されている。
ノーズパット１６ａ，１６ｂにはある程度のガタ付が与えられている。ノーズパット１６ａ，１６ｂはガタ付きの範囲においてその方向が変化し、眼鏡１０を掛けた際、ノーズパット１６ａ，１６ｂは鼻を両脇から挟んで眼鏡１０を支える。
【００１５】
眼鏡１０の使用方法を図３に基づいて説明する。図３は、本発明の眼鏡を顔に掛けた状態を表わす図である。
状態図３Ａ（眼鏡１０を細い実線で表した図）は、フィッティングされた眼鏡１０を顔２６に掛けた状態を表わすものであり、眼鏡１０は顔２６にフィットした状態で掛けられている。
状態図３Ｂ（眼鏡１０を点線で表した図）は、眼鏡１０がズレ落ちた状態を表すものである。眼鏡１０がズレ落ちると、ノーズパット１６ａ，１６ｂが状態図３Ａの位置より顔２６の下方の位置に移動する。眼鏡１０のフロントフレーム１２の位置（高さ）は状態図３Ａの位置より低くなる。
【００１６】
状態図３Ｃ（眼鏡１０を太い実線で表した図）は、眼鏡１０の眼鏡支持手段１８を鉛直方向に伸ばした眼鏡１０（図１（ｂ）の眼鏡）を顔２６に掛けた状態を表わすものである。眼鏡１０のノーズパット１６ａ，１６ｂは、状態図３Ｂのノーズパット１６ａ，１６ｂと同じ位置で眼鏡１０を支え、眼鏡１０を状態図３Ａの高さに支持している。この場合、眼鏡１０はズレ落ちることはなく、眼鏡の装着者は、手でフロントフレーム１２を押し上げて眼鏡１０を元の位置に戻す動作を行う必要がなくなるため、仕事や勉強に集中できる。
【００１７】
眼鏡支持手段１８は、リム１２ａ，１２ｂにロウ付けされた眼鏡支持手段取付部材２４に前後方向に可動できるように取り付けてもよい。眼鏡支持手段１８を可動自在に設けることにより、レンズ２８と瞳３０との距離を容易に調整することができる。
【００１８】
本発明の眼鏡の眼鏡支持手段の他の実施形態を図４に基づいて説明する。図４（ａ）は眼鏡支持手段の構成図であり、図４（ｂ）は眼鏡支持手段の眼鏡支持手段取付部材の側面図である。
眼鏡支持手段３２は、その一端がパット支持箱２２に固定されている眼鏡支持手段本体３４と、その眼鏡支持手段本体３４を嵌入する嵌合孔３６を備える眼鏡支持手段嵌入部材３８とから構成されるものである。眼鏡支持手段３２は、嵌合孔３６に眼鏡支持手段本体３４を嵌め込み又は引き出すことによって、眼鏡支持手段３２の長さを調整することができるようになっている。これにより、ノーズパット１６ａ，１６ｂの位置を上下方向に変位させることができる。
【００１９】
眼鏡支持手段３２（支持手段嵌入部材３８）は、リム１２ａ，１２ｂにロウ付けされた眼鏡支持手段取付部材４０を軸に図４（ｂ）に示す矢印の向き（前後方向）に摺動可能に設けられている。これにより、ノーズパット１６ａ，１６ｂの位置を前後方向に変位させることができ、かつ、レンズ２８と瞳３０との距離を調整することができる。
【００２０】
眼鏡支持手段３２は、略ハの字形に形成されている。これにより、眼鏡支持手段３２の長さを調整する際、同時にノーズパット１６ａ，１６ｂの位置が左右方向に変位し、ノーズパット１６ａ，１６ｂの幅を調整することができる。
なお、眼鏡支持手段本体３４の一部又は全体に可塑性を有する間接部２０を設けてもよい。
【００２１】
以上のように眼鏡支持手段３２の長さおよび幅を調整できるようにすることにより、眼鏡１０のノーズパット１６ａ，１６ｂは、図３の状態図３Ｂのノーズパット１６ａ，１６ｂと同じ位置で眼鏡１０を支え、眼鏡１０を状態図３Ａの高さに支持できる。この場合の眼鏡１０はズレ落ちることはなく、眼鏡の装着者は、手でフロントフレーム１２を押し上げて眼鏡１０を元の位置に戻す動作を行う必要がなくなるため、仕事や勉強に集中できる。
なお、眼鏡支持手段１８，３２は、眼鏡１０のブリッジ１２ｃに取り付けてもよい。
【図面の簡単な説明】
【００２２】
【図１】本発明の眼鏡の構成図であり、図１（ａ）はフィッティングされた状態を表す図であり、図１（ｂ）は眼鏡がズレ落ちた場合の使用状態を表わす図である。
【図２】図１のノーズパットの拡大図である。
【図３】本発明の眼鏡を顔に掛けた状態を表す図である。
【図４】本発明の眼鏡の眼鏡支持手段の他の実施形態を表わす図であり、図４（ａ）は眼鏡支持手段の構成図、図４（ｂ）は眼鏡支持手段の眼鏡支持手段取付部材の側面図である。
【符号の説明】
【００２３】
１０  眼鏡  
１６  ノーズパット
１８  眼鏡支持手段
２０  関節部
３２  眼鏡支持手段
【図１】
2010156932.tif 000003
【図２】
2010156932.tif 000004
【図３】
2010156932.tif 000005
【図４】
2010156932.tif 000006
【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
鼻を両脇から挟んで眼鏡を支えるノーズパットを有する眼鏡において、
前記ノーズパットの脚を形成するものであって、前記眼鏡がズレ落ちた際のノーズパットの位置から眼鏡を支える前記脚の長さおよび幅の調整が可能な眼鏡支持手段を備え、前記眼鏡のリムにロウ付けされた眼鏡支持手段取付部材又は前記眼鏡のブリッジに前記眼鏡支持手段の上端を固定するようにしたことを特徴とする眼鏡。
【請求項２】
前記眼鏡支持手段は、その一部又は全体に関節部が形成されている可塑性を有するものであって、当該眼鏡支持手段を前記関節部から曲げて変形させることにより、その長さおよび幅を調整するようにしたことを特徴とする請求項１記載の眼鏡。
【請求項３】
前記眼鏡支持手段は、その一端がパット支持箱に固定されている眼鏡支持手段本体と当該眼鏡支持手段本体を嵌入する嵌合孔を備える眼鏡支持手段嵌入部材とからなるものであり、前記嵌合孔に眼鏡支持手段本体を嵌め込み又は引き出すことによって当該眼鏡支持手段の長さおよび幅を調整し、
かつ、当該眼鏡支持手段の上端を前記眼鏡支持手段取付部材又はブリッジに摺動可能に固定することを特徴とする請求項１記載の眼鏡。
【手続補正２】
【補正対象書類名】明細書
【補正対象項目名】０００８
【補正方法】変更
【補正の内容】
【０００８】
本発明の眼鏡は、鼻を両脇から挟んで眼鏡を支えるノーズパットを有する眼鏡において、前記ノーズパットの脚を形成するものであって、前記眼鏡がズレ落ちた際のノーズパットの位置から眼鏡を支える前記脚の長さおよび幅の調整が可能な眼鏡支持手段を備え、前記眼鏡のリムにロウ付けされた眼鏡支持手段取付部材又は前記眼鏡のブリッジに前記眼鏡支持手段の上端を固定するようにしたものである。
また、前記眼鏡支持手段は、その一部又は全体に関節部が形成されている可塑性を有するものであって、当該眼鏡支持手段を前記関節部から曲げて変形させることにより、その長さおよび幅を調整するようにしたものである。
また、前記眼鏡支持手段は、その一端がパット支持箱に固定されている眼鏡支持手段本体と当該眼鏡支持手段本体を嵌入する嵌合孔を備える眼鏡支持手段嵌入部材とからなるものであり、前記嵌合孔に眼鏡支持手段本体を嵌め込み又は引き出すことによって当該眼鏡支持手段の長さおよび幅を調整し、かつ、当該眼鏡支持手段の上端を前記眼鏡支持手段取付部材又はブリッジに摺動可能に固定するようにしたものである。
【手続補正３】
【補正対象書類名】明細書
【補正対象項目名】０００９
【補正方法】変更
【補正の内容】
【０００９】
本発明の眼鏡は、眼鏡がズレ落ちた際、そのズレ落ちた位置で眼鏡を支えるものであるため、さらなる眼鏡のズレ落ちを防止し、手でフロントフレームを押し上げて眼鏡を元の位置に戻す動作を回避でき、仕事や勉強の集中力を高めることができる。
また、本発明の眼鏡支持手段はその一部又は全体に関節部が形成されている可塑性を有するものであり、又は、当該眼鏡支持手段を伸縮自在に設けることよって、ノーズパットの長さおよび幅を容易に調整することができる。これにより、眼鏡を装着する者が自ら眼鏡のフィッティングを行うことができる。
また、前記眼鏡支持手段を前記眼鏡のフロントフレームに可動自在に取り付けることにより、フロントフレームの位置も容易に調整することができる。
【手続補正４】
【補正対象書類名】明細書
【補正対象項目名】００１２
【補正方法】変更
【補正の内容】
【００１２】
眼鏡支持手段１８は、所定の長さを有するものであり、その一部又は全体に関節部２０が形成されている可塑性を有するものである。関節部２０は、手等で力を加えて折り曲げることができるようになっている（図２）。眼鏡支持手段１８を関節部２０から曲げて変形させることにより、ノーズパット１６ａ，１６ｂの位置を左右、前後、上下の各方向に自由自在に変位させることができる。眼鏡支持手段１８の変形により、ノーズパットの脚の長さおよび幅を容易に調整することができ、眼鏡を装着する者が自ら眼鏡のフィッティングを行うことができる。
【手続補正５】
【補正対象書類名】明細書
【補正対象項目名】００１８
【補正方法】変更
【補正の内容】
【００１８】
本発明の眼鏡の眼鏡支持手段の他の実施形態を図４に基づいて説明する。図４（ａ）は眼鏡支持手段の構成図であり、図４（ｂ）は眼鏡支持手段の眼鏡支持手段取付部材の側面図である。
眼鏡支持手段３２は、その一端がパット支持箱２２に固定されている眼鏡支持手段本体３４と、その眼鏡支持手段本体３４を嵌入する嵌合孔３８を備える眼鏡支持手段嵌入部材３６とから構成されるものである。眼鏡支持手段３２は、嵌合孔３８に眼鏡支持手段本体３４を嵌め込み又は引き出すことによって、眼鏡支持手段３２の長さを調整することができるようになっている。これにより、ノーズパット１６ａ，１６ｂの位置を上下方向に変位させることができる。
【手続補正６】
【補正対象書類名】明細書
【補正対象項目名】００１９
【補正方法】変更
【補正の内容】
【００１９】
眼鏡支持手段３２（支持手段嵌入部材３６）は、リム１２ａ，１２ｂにロウ付けされた眼鏡支持手段取付部材４０を軸に図４（ｂ）に示す矢印の向き（前後方向）に摺動可能に設けられている。これにより、ノーズパット１６ａ，１６ｂの位置を前後方向に変位させることができ、かつ、レンズ２８と瞳３０との距離を調整することができる。
【手続補正７】
【補正対象書類名】明細書
【補正対象項目名】００２０
【補正方法】変更
【補正の内容】
【００２０】
眼鏡支持手段３２は、略ハの字形に形成されている。これにより、眼鏡支持手段３２の長さを調整する際、同時にノーズパット１６ａ，１６ｂの位置が左右方向に変位し、ノーズパット１６ａ，１６ｂの幅を調整することができる。
なお、眼鏡支持手段本体３４の一部又は全体に可塑性を有する関節部２０を設けてもよい。
【手続補正８】
【補正対象書類名】明細書
【補正対象項目名】００２３
【補正方法】変更
【補正の内容】
【００２３】
１０  眼鏡
１２ａ、ｂ  リム
１２ｃ  ブリッジ
１６  ノーズパット  
１８  眼鏡支持手段  
２０  関節部  
２４  眼鏡支持手段取付部材
３２  眼鏡支持手段
３４  眼鏡支持手段本体
３６  眼鏡支持手段嵌入部材
３８  嵌合孔
４０  眼鏡支持手段取付部材